(57)【特許請求の範囲】
【請求項１】
空気調和機の制御方法であって、
前記空気調和機が通常運転している場合に、前記空気調和機の還気温度センサが故障したか否かを判断するステップと、
前記還気温度センサが故障した場合に、前記空気調和機に対応する内部バルブを閉じ、ファンモーターの運転を保持するステップと、
前記空気調和機の送風温度センサが故障したか否かを判断するステップと、
前記空気調和機の前記送風温度センサが故障していない場合に、前記空気調和機の送風温度を取得し、前記取得された送風温度を新しい還気温度とし、前記空気調和機を再運転するように制御するステップと、
を含むことを特徴とする空気調和機の制御方法。
【請求項２】
前記空気調和機が通常運転している場合に、前記空気調和機の前記還気温度センサが故障したか否かを判断するステップは、
前記空気調和機が通常運転している場合に、第１所定検出サイクルによって前記空気調和機の還気温度を検出するステップと、
検出された前記空気調和機の前記還気温度に基づいて、第１所定期間における前記空気調和機の最高還気温度と最低還気温度とを記録するステップと、
前記最高還気温度と前記最低還気温度との差が所定の第１温度偏差値以上であるか否かを判断するステップと、
前記最高還気温度と前記最低還気温度との差が前記所定の第１温度偏差値以上である場合に、前記還気温度センサが故障したと判断し、前記還気温度センサの故障アラーム情報を送信するステップと、
を含むことを特徴とする請求項１に記載の空気調和機の制御方法。
【請求項３】
前記空気調和機の前記送風温度センサが故障したか否かを判断するステップは、
前記ファンモーターが第２所定期間を運転した場合に、第２所定検出サイクルによって前記空気調和機の現在の送風温度を検出し、第３所定期間における前記空気調和機の最高送風温度と最低送風温度とを記録するステップと、
前記最高送風温度と前記最低送風温度との差が所定の第２温度偏差値より小さいか否かを判断するステップと、
前記最高送風温度と前記最低送風温度との差が前記所定の第２温度偏差値より小さい場合に、前記送風温度センサが故障していないと判断するステップと、
を含むことを特徴とする請求項１に記載の空気調和機の制御方法。
【請求項４】
前記最高送風温度と前記最低送風温度との差が前記所定の第２温度偏差値より小さいか否かを判断するステップの後に、
前記最高送風温度と前記最低送風温度との差が前記所定の第２温度偏差値以上である場合に、前記送風温度センサが故障したと判断し、前記送風温度センサの故障アラーム情報を送信し、前記空気調和機の運転を停止させるように制御するステップを更に含む、
ことを特徴とする請求項３に記載の空気調和機の制御方法。
【請求項５】
前記取得された送風温度を新しい還気温度とし、前記空気調和機が再運転するように制御した後、
前記空気調和機が再運転して第４所定期間に達した場合に、前記送風温度が室内設定温度に達するまで、前記空気調和機の前記送風温度センサが故障したか否かを改めて判断することを更に含む、
ことを特徴とする請求項１乃至４のいずれかに記載の空気調和機の制御方法。
【請求項６】
吸気通路と、排気通路と、吸気通路に設けられている熱交換器とを含む空気調和機であって、
前記排気通路は室内の空気を室外に排出し、前記吸気通路は室外の空気を熱交換器によって熱交換してから、室内に取込み、
前記空気調和機は、前記空気調和機を制御する制御装置を更に含み、
前記制御装置は、
前記空気調和機が通常運転している場合に、前記空気調和機の還気温度センサが故障したか否かを判断するための還気温度故障検出モジュールと、
前記空気調和機の送風温度センサが故障したか否かを判断するための送風温度故障検出モジュールと、
前記還気温度センサが故障した場合に、前記空気調和機に対応する内部バルブを閉じ、ファンモーターの運転を保持し、また、前記空気調和機の前記送風温度センサが故障していない場合に、前記空気調和機の送風温度を取得し、取得された前記送風温度を新しい還気温度とし、前記空気調和機が再運転するように前記空気調和機を制御するための制御モジュールと、
を含むことを特徴とする空気調和機。
【請求項７】
前記還気温度故障検出モジュールは、
前記空気調和機が通常運転している場合に、第１所定検出サイクルによって前記空気調和機の前記還気温度を検出し、検出された前記空気調和機の前記還気温度に基づいて、第１所定期間における前記空気調和機の最高還気温度及び最低還気温度を記録するための還気温度検出ユニットと、
前記最高還気温度と前記最低還気温度との差が所定の第１温度偏差値以上であるか否かを判断し、前記最高還気温度と前記最低還気温度との差が前記所定の温度偏差値以上である場合に、前記還気温度センサが故障したと判断し、前記還気温度センサの故障アラーム情報を送信するための還気温度故障判断ユニットと、
を含むことを特徴とする請求項６に記載の空気調和機。
【請求項８】
前記送風温度故障検出モジュールは、
前記ファンモーターが第２所定期間を運転した場合に、第２所定検出サイクルによって前記空気調和機の現在の送風温度を検出し、第３所定期間における前記空気調和機の最高送風温度と最低送風温度とを記録するための送風温度検出ユニットと、
前記最高送風温度と前記最低送風温度との差が所定の第２温度偏差値より小さいか否かを判断し、前記最高送風温度と前記最低送風温度との差が前記所定の第２温度偏差値より小さい場合に、前記送風温度センサが故障していないと判断するための送風温度故障判断ユニットと、
を含むことを特徴とする請求項６に記載の空気調和機。
【請求項９】
前記送風温度故障判断ユニットは、
前記最高送風温度と前記最低送風温度との差が前記所定の第２温度偏差値以上である場合に、前記送風温度センサが故障したと判断し、前記送風温度センサの故障アラーム情報を送信し、前記空気調和機の運転を停止させるように制御する、
ことを特徴とする請求項８に記載の空気調和機。
【請求項１０】
前記送風温度故障判断ユニットは、前記空気調和機が再運転して第４所定期間に達した場合に、前記送風温度が室内設定温度に達するまで、前記空気調和機の前記送風温度センサが故障したか否かを改めて判断する、
ことを特徴とする請求項８または９に記載の空気調和機。
【請求項１１】
コンピュータプログラムが記憶されている非一時的なコンピュータ読み取り可能な記憶媒体であって、
前記コンピュータプログラムがプロセッサによって実行される時に、請求項１ないし５のいずれかに記載の空気調和機の制御方法を実現する、
ことを特徴とする非一時的なコンピュータ読み取り可能な記憶媒体。
【発明の詳細な説明】
【技術分野】
【０００１】
本願は空調分野に関し、特に空気調和機の制御方法及び空気調和機に関する。
【背景技術】
【０００２】
温度センサは家庭用電器製品（例えば、空気調和機）に広く利用され、空気調和機における温度センサを例とし、室内機によくある還気還気温度センサとコイル温度センサ以外、更に送風温度センサがある。しかしながら、温度センサが頻繁に利用される場合に、機械に故障が起こる確率も高くなり、よくある故障と言うと、例えば、温度センサ回路の短絡、断線及び温度ドリフトなどがある。従来技術において、空気調和機の温度センサが故障した場合に、温度センサが故障したことをユーザに通知するように、常に、空気調和機が故障アラーム情報を出し、更に、温度センサの故障を解除する前に、空気調和機が再起動して運転しないようになり、空気調和機を使用するユーザの利用に影響を与える。
【発明の概要】
【発明が解決しようとする課題】
【０００３】
本発明の主となる目的は、空気調和機の制御方法を提供することであり、空気調和機の還気温度センサが故障した場合に再運転再運転できない課題を解決することである。
【課題を解決するための手段】
【０００４】
上記の目的を達成する為に、本発明は空気調和機の制御方法を提供し、前記空気調和機の制御方法は、
空気調和機が通常運転している場合に、空気調和機の還気温度センサが故障したか否かを判断するステップと、
還気温度センサが故障した場合に、空気調和機に対応する内部バルブを閉じ、ファンモーターの運転を保持するステップと、
空気調和機の送風温度センサが故障したか否かを判断するステップと、
空気調和機の送風温度センサが故障していない場合に、空気調和機の送風温度を取得し、取得された送風温度を新しい還気温度とし、空気調和機が再運転するように制御するステップと、を含む。
【０００５】
好ましくは、前記空気調和機が通常運転している場合に、空気調和機の還気温度センサが故障したか否かを判断するステップは、
空気調和機が通常運転している場合に、第１所定検出サイクルによって空気調和機の還気温度を検出送信するステップと、
検出された空気調和機の還気温度に基づいて、第１所定期間における空気調和機の最高還気温度と最低還気温度とを記録するステップと、
前記最高還気温度と前記最低還気温度との差が所定の第１温度偏差値以上であるか否かを判断するステップと、
前記最高還気温度と前記最低還気温度との差が所定の温度偏差値以上である場合に、前記還気温度センサが故障したと判断し、還気温度センサの故障アラーム情報を送信するステップと、を含む。
【０００６】
好ましくは、空気調和機の送風温度センサが故障したか否かを判断するステップは、
前記ファンモーターが第２所定期間を運転した場合に、第２所定検出サイクルによって空気調和機の現在の送風温度を検出し、第３所定期間における空気調和機の最高送風温度と最低送風温度とを記録するステップと、
前記最高送風温度と前記最低送風温度との差が所定の第２温度偏差値より小さいか否かを判断するステップと、
前記最高送風温度と前記最低送風温度との差が所定の第２温度偏差値より小さい場合に、前記送風温度センサが故障していないと判断するステップと、を含む。
【０００７】
好ましくは、前記最高送風温度と前記最低送風温度との差が所定の第２温度センサ偏差値より小さいか否かと判断するステップの後、
前記最高送風温度と前記最低送風温度との差が所定の第２温度偏差値以上である場合に、前記送風温度センサも故障したと判断し、送風温度センサの故障アラーム情報を出し、前記空気調和機の運転を停止させるように制御するステップを更に含む。
【０００８】
好ましくは、取得された送風温度を新しい還気温度とし、空気調和機が再運転するように制御した後、「空気調和機が再運転して第４所定期間に達した場合に、前記送風温度が室内設定温度に達するまで、空気調和機の送風温度センサが故障したか否かを改めて判断する」ことを更に含む。
【０００９】
また、上記の目的を達成する為に、本発明は非一時的なコンピュータ読み取り可能な記憶媒体を提供し、その中にコンピュータプログラムが記憶され、このプログラムがプロセッサによって実行される時に、上記の空気調和機の制御方法を実現する。
【００１０】
また、上記の目的を達成するには、本発明は、空気調和機を更に提供し、前記空気調和機は、吸気通路と、排気通路と、排気通路に設けられている熱交換器とを含み、前記排気通路は室内の空気を室外に排出し、前記吸気通路は室外の空気を熱交換器によって熱交換してから、室内に取込む。前記空気調和機は、空気調和機を制御する制御装置を含み、且つ、前記制御装置は、
空気調和機が通常運転している場合に、空気調和機の還気温度センサが故障したか否かを判断するための還気温度故障検出モジュールと、
空気調和機の送風温度センサが故障したか否かを判断するための送風温度故障検出モジュールと、
還気温度センサが故障した場合に、空気調和機に対応する内部バルブを閉じ、ファンモーターが運転を保持し、及び、空気調和機の送風温度センサが故障していない場合に、空気調和機の送風温度を取得し、取得された送風温度を新しい還気温度とし、空気調和機が再運転するように空気調和機を制御するための制御モジュールと、を含む。
【００１１】
好ましくは、前記還気温度故障検出モジュールは、
空気調和機が通常運転している場合に、第１所定検出サイクルによって空気調和機の還気温度を検出し、検出された空気調和機の還気温度に基づいて、第１所定期間における空気調和機の最高還気温度及び最低還気温度を記録するための還気温度検出ユニットと、
前記最高還気温度と前記最低還気温度との差が所定の第１温度の偏差値以上であるか否かを判断し、前記最高還気温度と前記最低還気温度との差が所定の温度偏差値以上である場合に、前記還気温度センサが故障したと判断し、且つ還気温度センサの故障アラーム情報を送信するための還気温度故障判断ユニットとを含む。
【００１２】
好ましくは、前記送風温度故障検出モジュールは、
前記ファンモーターが第２所定期間を運転した場合に、第２所定検出サイクルによって空気調和機の現在の送風温度を検出し、第３所定期間における空気調和機の最高送風温度と最低送風温度を記録するための送風温度検出ユニットと、
前記最高送風温度と前記最低送風温度との差が所定の第２温度偏差値より小さいか否かを判断し、前記最高送風温度と前記最低送風温度との差が所定の第２温度偏差値より小さい場合に、前記送風温度センサが故障していないと判断するための送風温度故障判断ユニットと、を含む。
【００１３】
好ましくは、前記送風温度故障判断ユニットは、
前記最高送風温度と前記最低送風温度との差が所定の第２温度偏差値以上である場合に、前記送風温度センサが故障したと判断し、送風温度センサの故障アラーム情報を出し、前記空気調和機の運転を停止させるように制御する。
【００１４】
好ましくは、前記送風温度故障判断ユニットは、空気調和機が再運転して第４所定期間に達した場合に、前記送風温度が室内設定温度に達するまで、空気調和機の送風温度センサが故障したか否かを改めて判断する。
【発明の効果】
【００１５】
本発明は、空気調和機の制御方法を提供し、前記空気調和機の制御方法は、空気調和機が通常運転している場合に、空気調和機の還気温度センサは故障したか否かを判断するステップと、還気温度センサが故障した場合に、空気調和機に対応する内部バルブを閉じ、ファンモーターは運転を保持するステップと、空気調和機の送風温度センサが故障したか否かを判断するステップと、空気調和機の送風温度センサが故障していない場合に、空気調和機の送風温度を取得し、且つ取得された送風温度を新しい還気温度とし、空気調和機が再運転するように空気調和機を制御するステップを含む。本発明の空気調和機の制御方法は、空気調和機の還気温度センサが故障した場合に空気調和機が再運転できない課題を解決し、空気調和機を使用するユーザの利用を改善する。
【図面の簡単な説明】
【００１６】
本発明の実施例又は従来技術における技術案をより明確に説明するために、以下、実施例又は従来技術を説明するために必要となる図面を簡単に説明する。明らかに、以下に説明される図面は本発明の一部の実施例に過ぎなく、当業者にとって、通常の創作の前提で、更に、これらの図面により他の図面を取得することができる。
【図１】本発明の空気調和機の制御方法の第１実施例のフローチャートである。
【図２】本発明の空気調和機の制御方法の第２実施例のフローチャートである。
【図３】本発明の空気調和機の制御方法の第３実施例のフローチャートである。
【図４】本発明の空気調和機の制御方法の第４実施例のフローチャートである。
【図５】本発明の空気調和機の制御方法の第５実施例のフローチャートである。
【図６】本発明の空気調和機の制御装置の第１実施例の機能モジュールの概略図である。
【図７】本発明の空気調和機の制御装置の第２実施例における還気温度故障検出モジュールの細分化機能モジュールの概略図である。
【図８】本発明の空気調和機の制御装置の第３実施例における送風温度故障検出モジュールの細分化機能モジュールの概略図である。
【００１７】
本発明の目的の実現、機能特徴及び利点については、実施例を組み合わせて、図面を参照しつつ説明する。
【発明を実施するための形態】
【００１８】
ここで説明される具体的な実施例は本発明を解釈するために過ぎず、本発明を限定するものではないと理解されるべきである。
【００１９】
本発明により提供される空気調和機の制御方法は、図１に示すように、一つの実施例において、この空気調和機の制御方法は、以下のようなステップを含む。
【００２０】
ステップＳ１０では、空気調和機が通常運転している場合に、空気調和機の還気温度センサが故障したか否かを判断する。本発明の実施例により提供される空気調和機の制御方法は、主に空気調和機空気調和機の制御システムにおいて、空気調和機の還気温度センサが故障した場合に空気調和機を再運転することができないため空気調和機を使用するユーザの利用に影響を与える課題を解決するためのものである。空気調和機システムにおいて、空気調和機の空気調和機は吸気通路と、排気通路と、吸気通路に設けられている熱交換器とを含み、前記排気通路は室内の空気を室外へ排出し、前記吸気通路は室外の空気を熱交換器によって熱交換してから、室内に取込む。また、空気調和機空気調和機の送風口（即ち、空気調和機の排気通路の通路口のところ）に還気温度センサが設けられ、空気調和機の送風口（即ち、空気調和機の送風通路の通路口のところ）に送風温度センサが設けられ、還気温度センサによって空気調和機の還気口のところの温度を検出し、送風温度センサによって空気調和機の送風口のところの温度を検出し、空気調和機の還気温度を空気調和機の温度制御パラメータとし、空気調和機の運転を制御し、室内温度の制御を実現する。具体的には、空気調和機が運転する場合に、空気調和機はユーザが設定した目標温度（例えば２６℃）を最終的な温度制御目標とし、圧縮機の周波数を制御する又は/及び空気調和機のファンモーターの回転速度を制御することによって室内温度に対する制御を実現し、室内温度をユーザが設定した目標温度（例えば２６℃）に到達させる。なお、ここで、室内温度は空気調和機の還気口のところ（即ち、空気調和機の排気通路の通路口のところ）の還気温度センサによって取得されるもので、つまり、空気調和機の還気口のところの現在還気温度を現在の室内空気温度とする。
【００２１】
本実施例において、空気調和機の還気温度センサが故障した場合に空気調和機を再運転することができないという課題を解決するために、本発明の実施例の当該空気調和機の制御方法は、まず空気調和機が通常運転している場合に、空気調和機の還気口のところにある還気温度センサが故障したか否かを判断する。
【００２２】
ステップＳ２０では、還気温度センサが故障した場合に、空気調和機に対応する内部バルブを閉じ、ファンモーターが運転を保持する。具体的には、空気調和機が通常運転している場合に、空気調和機の還気温度センサが故障したと判断する場合、空気調和機に対応する内部バルブを閉じ（即ち、空気調和機が冷媒循環を停止させるように制御する）、同時に、空気調和機におけるファンモーターが引き続き運転を保持する。なお、本実施例において、還気温度センサが故障した場合に、空気調和機は冷暖房の機能を備えないものの、空気調和機は依然として室外の空気を室内に取込むことができ、室内の空気の質を改善する。
【００２３】
ステップＳ３０では、空気調和機の送風温度センサが故障したか否かを判断する。
【００２４】
ステップＳ４０では、空気調和機の送風温度センサが故障していない場合に、空気調和機の送風温度を取得し、且つ取得された送風温度を新しい還気温度とし、空気調和機が再運転するように制御する。具体的には、本実施例において、還気温度センサが故障した場合に、空気調和機に対応する内部バルブを閉じたが、空気調和機のファンモーターが依然として運転し、この場合空気調和機の送風温度センサが故障したか否かを判断し、判断結果によって空気調和機の送風温度を取得するか否かを決定する。本実施例において、空気調和機の送風温度センサが故障していないと判断された場合に、空気調和機の送風温度を取得し、取得された送風温度を新しい還気温度とし、空気調和機が再運転するように制御する。
【００２５】
本発明の実施例による空気調和機の制御方法では、まず、空気調和機が通常運転している場合に、空気調和機の還気温度センサが故障したか否かを判断する。次に、還気温度センサが故障した場合に、空気調和機に対応する内部バルブを閉じ、ファンモーターが運転を保持する。その後、空気調和機の送風温度センサが故障したか否かを判断する。最後に、空気調和機の送風温度センサが故障していない場合に、空気調和機の送風温度を取得し、取得された送風温度を新しい還気温度とし、空気調和機が再運転するように制御する。本発明の実施例による空気調和機の制御方法は、空気調和機の還気温度センサが故障した場合に空気調和機が再運転できない課題を解決し、空気調和機を使用するユーザの利用を改善する。
【００２６】
更に、図２に示すように、本発明の空気調和機の制御方法の第１実施例に基づいて、本発明の空気調和機の制御方法の第２実施例において、上記ステップＳ１０は、ステップＳ１１、ステップＳ１２、ステップＳ１３、及びステップＳ１４を含む。ステップＳ１１では、空気調和機が通常運転している場合に、所定検出サイクルによって空気調和機の還気温度を検出する。ステップＳ１２では、検出された空気調和機の還気温度に基づいて、第１所定期間における空気調和機の最高還気温度と最低還気温度を記録する。ステップＳ１３では、前記最高還気温度と前記最低還気温度との差が所定の第１温度偏差値以上であるか否かを判断する。ステップＳ１４では、前記最高還気温度と前記最低還気温度との差が所定の温度偏差値より大きい場合に、前記還気温度センサが故障したと判断し、且つ還気温度センサの故障アラーム情報を送信する。
【００２７】
一つの実施例において、空気調和機の還気温度センサの回路が断線又は短路しているか否かを検出することにより、この還気温度センサが故障したか否かを判断すると、理解される。もう一つの実施例において、空気調和機の還気温度センサが温度検出機能を備えるか否かを判断することにより、この還気温度センサが故障したか否かを判断し、例えば、還気温度センサが温度を検出することができなくなると、この還気温度センサが故障したと判断すると、理解される。
【００２８】
具体的には、本実施例の空気調和機の制御方法は、前記検出サイクルＴおきに空気調和機の還気温度を検出し、これにより空気調和機の現在の還気温度を取得する。上記第１所定検出サイクルＴ、第１所定期間ｎＴ及び第１温度偏差値ΔＴ１は、実際の状況によって設定できる。本実施例において、前記第１所定検出サイクルTは１０秒ないし１５秒であり、前記第１所定期間ｎＴは２分ないし３分であり、前記第１温度偏差値ΔＴ１は１．５℃ないし２℃である。好ましくは、本実施例において、前記第１所定検出サイクルTは１０秒であり、前記第１所定期間ｎＴは２分であり、前記第１温度偏差値ΔＴ１は１．５℃であり、以下、これを例として詳しく説明する。
【００２９】
例えば、空気調和機が通常運転している場合に、まず、空気調和機の還気口のところの還気温度センサは１０秒おきに空気調和機の還気温度を検出する。次に、還気温度センサによって検出された空気調和機の還気温度により、２分以内で空気調和機の最高還気温度Ｔ１ｍａｘと最低還気温度Ｔ１ｍｉｎとを記録する。その後、記録された前記最高還気温度Ｔ１ｍａｘと最低還気温度Ｔ１ｍｉｎとの差が所定の第１温度偏差値ΔＴ１以上であるか否かを判断し、即ち、｜Ｔ１ｍａｘ−Ｔ１ｍｉｎ｜≧ΔＴ１を判断する（即ち、｜Ｔ１ｍａｘ−Ｔ１ｍｉｎ｜≧１．５℃を判断する）。前記最高還気温度Ｔ１ｍａｘと最低還気温度Ｔ１ｍｉｎとの差が１．５℃以上であると判断した場合に、空気調和機の還気口のところの前記還気温度センサが故障したと判断でき、同時に、空気調和機の還気温度センサが故障したことをユーザに提示するように、還気温度センサの故障アラームを送信する。
【００３０】
本実施例の空気調和機の制御方法は、第１所定期間ｎＴ内に記録された最高還気温度Ｔ１ｍａｘ、最低還気温度Ｔ１ｍｉｎ及び所定の第１温度偏差値ΔＴ１により、空気調和機の還気温度センサが故障したことを判断する。｜Ｔ１ｍａｘ−Ｔ１ｍｉｎ｜≧ΔＴ１の場合に、空気調和機の還気温度センサが故障したと判断し、且つ還気温度センサの故障アラーム情報を送信する。還気温度センサが故障した場合に、空気調和機に対応する内部バルブを閉じ、空気調和機内のファンモーターが引き続き運転を保持する。その後、空気調和機の送風温度センサが故障したか否かを判断する。空気調和機の送風温度センサが故障していない場合に、空気調和機の送風温度を取得し、取得された送風温度を新しい還気温度とし、空気調和機が再運転するように制御し、これにより空気調和機を使用するユーザの利用を改善する。
【００３１】
更に、図３に示すように、本発明の空気調和機の制御方法の第１実施例に基づいて、本発明の空気調和機の制御方法の第３実施例において、上記ステップＳ３０は、以下のようなステップを含む。ステップＳ３１では、前記ファンモーターが第２所定期間を運転した場合に、第２所定検出サイクルによって空気調和機の現在の送風温度を検出し、第３所定期間における空気調和機の最高送風温度と最低送風温度とを記録する。ステップＳ３２では、前記最高送風温度と前記最低送風温度との差が所定の第２温度偏差値より小さいか否かを判断する。ステップＳ３３では、前記最高送風温度と前記最低送風温度との差が所定の第２温度偏差値より小さい場合に、前記送風温度センサが故障していないと判断する。
【００３２】
一つの実施例において、空気調和機の送風温度センサの回路が断線又は短路しているか否かを検出することにより、この送風温度センサが故障したか否かを判断すると、理解される。もう一つの実施例において、空気調和機の送風温度センサが温度検出機能を備えるか否かを判断することにより、この送風温度センサが故障したか否かを判断し、例えば、送風温度センサが温度を検出することができなくなると、この送風温度センサが故障したと判断すると、理解される。
【００３３】
具体的には、本実施例の空気調和機の制御方法は、前記第２検出サイクルＴ２おきに空気調和機の送風温度を検出し、これにより空気調和機の現在の送風温度を取得する。上記第２所定検出サイクルＴ２、第２所定期間ｍＴ、第３所定期間ｎ２Ｔ及び第２温度偏差値ΔＴａは、実際の状況によって設定できる。本実施例において、前記第２所定検出サイクルT２は１０秒ないし１５秒であり、前記第２所定期間ｍＴは２分ないし３分であり、前記第３所定期間ｎ２Ｔも２分ないし３分であり、前記第２温度偏差値ΔＴａは１．５℃ないし２℃である。好ましくは、本実施例において、前記第２所定検出サイクルT２は１０秒であり、前記第２所定期間ｍＴは３分であり、前記第３所定期間ｎ２Ｔは２分であり、前記第２温度偏差値ΔＴａは１．５℃であり、以下、これを例として詳しく説明する。
【００３４】
例えば、空気調和機におけるファンモーターが３分（即ち、前記第２所定期間ｍＴ）運転する場合に、空気調和機の送風口の送風温度センサは１０秒（即ち、前記第２所定検出サイクルＴ２）おきに空気調和機の送風温度を検出し、２分以内（即ち、前記第３所定期間ｎ２Ｔ）で空気調和機の最高送風温度Ｔａｍａｘと最低送風温度Ｔａｍｉｎとを記録する。その後、前記最高送風温度Ｔａｍａｘと最低送風温度Ｔａｍｉｎとの差が所定の第２温度偏差値ΔＴａより小さいか否かを判断し、即ち、｜Ｔａｍａｘ−Ｔａｍｉｎ｜＜ΔＴａを判断する（即ち、｜Ｔａｍａｘ−Ｔａｍｉｎ｜＜１．５℃を判断する）。前記最高送風温度Ｔａｍａｘと最低送風温度Ｔａｍｉｎとの差が１．５℃より小さいと判断した場合に、空気調和機の送風口のところの前記送風温度センサが故障していないと判断する。
【００３５】
本実施例の空気調和機の制御方法は第３所定期間ｎ２Ｔ内に記録された最高送風温度Ｔａｍａｘ、最低送風温度Ｔａｍｉｎ及び所定の第２温度偏差値ΔＴａにより、空気調和機の送風温度センサが故障したことを判断する。｜Ｔａｍａｘ−Ｔａｍｉｎ｜＜ΔＴａの場合に、空気調和機の送風温度センサが故障していないと判断する。空気調和機の送風温度センサが故障していない場合に、空気調和機の送風温度を取得し、取得された送風温度を新しい還気温度とし、空気調和機が再運転するように制御し、これにより空気調和機を使用するユーザの利用を改善する。
【００３６】
更に、図４に示すように、本発明の空気調和機の制御方法の第３実施例に基づいて、本発明の空気調和機の制御方法の第４実施例において、上記ステップＳ３３の後、更に以下のステップを含む。Ｓ３４では、前記最高送風温度と前記最低送風温度との差が所定の第２温度偏差値以上である場合に、前記送風温度センサも故障したと判断し、且つ送風温度センサの故障アラーム情報を出し、前記空気調和機の運転を停止させるように制御する。
【００３７】
本実施例において、前記最高送風温度Ｔａｍａｘと最低送風温度Ｔａｍｉｎとの差が所定の第２温度偏差値ΔＴａ以上である場合に、即ち、｜Ｔａｍａｘ−Ｔａｍｉｎ｜≧ΔＴａの場合に、前記送風温度センサも故障したと判断し、且つ還気温度センサの故障アラーム情報を出し、前記空気調和機の運転を停止させるように制御する。即ち、本実施例の空気調和機の制御方法は、空気調和機の送風温度制御が故障したと判断する前に、空気調和機が再運転することができ、空気調和機を使用するユーザの利用を改善する。
【００３８】
更に、図５に示すように、本発明の空気調和機の制御方法の上記各実施の中のいずれかの実施例に基づいて、本発明空気調和機の制御方法の第５実施例において、上記ステップＳ４０の後、更に、以下のようなステップを含む。ステップＳ５０では、空気調和機が再運転して第４所定期間に達した場合に、前記送風温度が室内設定温度に達するまで、空気調和機の送風温度センサが故障したか否かを改めて判断する。
【００３９】
前記第４所定期間と前記室内設定温度とは実際の状況によって設けられ、本実施例において、前記第４所定期間は１時間ないし２時間であり、前記室内設定温度は２５℃ないし２７℃であると、理解される。好ましくは、本実施例において、前記第４所定期間は１時間であり、前記室内設定温度は２６℃であり、以下、これを例として詳しく説明する。本実施例の空気調和機の制御方法では、空気調和機が再運転して１時間に達した場合に、前記送風温度が室内設定温度に達するまで、空気調和機の送風温度センサが故障したか否かを改めて判断し、即ち、空気調和機の送風温度が室内設定温度である２６℃に達すると、空気調和機の送風温度センサが故障したか否かの判断を停止することができる。即ち、本実施例空気調和機の制御方法によると、空気調和機が再運転する場合、運転時間が１時間に達するたびに、前記送風温度が室内設定温度に達するまで、空気調和機の送風温度センサの故障状況を一回判断し、これにより空気調和機が再運転する場合、その送風温度センサが通常作動を保証でき、空気調和機が再運転する場合の安全性能を保証し、空気調和機を使用するユーザの利用を改善する。
【００４０】
また、本発明は、非一時的なコンピュータ読み取り可能な記憶媒体を提供し、その中にコンピュータプログラムが記憶され、このプログラムがプロセッサによって実行される時に、上記の空気調和機の制御方法を実現する。
【００４１】
本発明は、空気調和機を更に提供し、当該空気調和機は、吸気通路と、排気通路と、排気通路に設けられている熱交換器とを含み、前記排気通路は室内の空気を室外に排出し、前記吸気通路は室外の空気を熱交換器によって熱交換してから、室内に取込む。図６に示すように、一つの実施例において、前記空気調和機は空気調和機の作動を制御する制御装置を含み、前記制御装置１００は、還気温度故障検出モジュール１０１と、送風温度故障検出モジュール１０２と、制御モジュール１０３とを含む。
【００４２】
具体的には、前記還気温度故障検出モジュール１０１は、空気調和機が通常運転している場合に、空気調和機の還気温度センサが故障したか否かを判断するためのものである。
【００４３】
本発明の実施例により提供される空気調和機の制御装置は、主に空気調和機の制御システムに適用され、空気調和機の還気温度センサが故障した場合に空気調和機を再運転することができないことで空気調和機を使用するユーザの利用に影響を与えるといった課題を解決するためのものである。空気調和機システムにおいて、空気調和機の空気調和機の還気口のところ（即ち、空気調和機の排気通路の通路口のところ）に還気温度センサが設けられ、空気調和機の送風口のところ（即ち、空気調和機の送風通路の通路口のところ）に送風温度センサが設けられ、還気温度センサによって空気調和機の還気口のところの温度を検出し、送風温度センサによって空気調和機の送風口のところの温度を検出し、空気調和機の還気温度を空気調和機の温度制御パラメータとして、空気調和機の運転を制御し、室内温度に対する制御を実現する。具体的には、空気調和機が運転する場合に、空気調和機はユーザが設定した目標温度（例えば２６℃）を最終的な温度制御目標とし、圧縮機の周波数を制御する又は/及び空気調和機のファンモーターの回転速度を制御することによって室内温度に対する制御を実現し、室内温度をユーザが設定した目標温度（例えば２６℃）に到達させる。なお、ここで、室内温度は空気調和機の還気口のところ（即ち、空気調和機の排気通路の通路口のところ）の還気温度センサによって取得されるものであり、つまり、空気調和機の還気口のところの現在還気温度を現在の室内空気温度とする。
【００４４】
本実施例において、空気調和機の還気温度センサが故障した場合に空気調和機が再運転することができない課題を解決するために、本発明の実施例の当該空気調和機の制御装置は、まず空気調和機が通常運転している場合に、前記還気温度故障検出モジュール１０１により、空気調和機の還気口のところの還気温度センサが故障したか否かを判断する。
【００４５】
前記送風温度故障検出モジュール１０２は、空気調和機の送風温度センサが故障したか否かを判断するためのものである。前記制御モジュール１０３は、還気温度センサが故障した場合に、空気調和機に対応する内部バルブを閉じ、ファンモーターが運転を保持し、及び、空気調和機の送風温度センサが故障していない場合に、空気調和機の送風温度を取得し、取得された送風温度を新しい還気温度とし、空気調和機が再運転するように制御するためのものである。
【００４６】
具体的には、空気調和機が通常運転している場合に、前記還気温度故障検出モジュール１０１は空気調和機の還気温度センサが故障したと判断する場合に、前記制御モジュール１０３は空気調和機に対応する内部バルブを閉じ（即ち、空気調和機が冷媒循環を停止するように空気調和機を制御する）、同時に、空気調和機におけるファンモーターが引き続き運転を保持する。なお、本実施例において、前記還気温度故障検出モジュール１０１は還気温度センサが故障したと判断する場合に、空気調和機が冷暖房の機能を備えないものの、前記制御モジュール１０３は空気調和機を制御して依然として室外の空気を室内に取込むようにすることができ、室内の空気の質を改善する。本実施例において、前記還気温度故障検出モジュール１０１は還気温度センサが故障したと判断する場合に、空気調和機に対応する内部バルブを閉じたが、前記制御モジュール１０３は空気調和機のファンモーターが依然として運転するように制御し、この場合、前記送風温度故障検出モジュール１０２によって、空気調和機の送風温度センサが故障したか否かを判断し、前記制御モジュール１０３は、判断結果によって空気調和機の送風温度を取得するか否かを決定する。本実施例において、前記送風温度故障検出モジュール１０２は、空気調和機の送風温度センサが故障していないと判断する場合に、前記制御モジュール１０３は空気調和機の送風温度を取得し、且つ取得された送風温度を新しい還気温度とし、空気調和機が再運転するように制御する。
【００４７】
本発明の実施例による空気調和機の制御装置は、まず、空気調和機が通常運転している場合に、前記還気温度故障検出モジュール１０１は、空気調和機の還気温度センサが故障したか否かを判断する、次に、還気温度センサが故障した場合に、前記制御モジュール１０３は空気調和機に対応する内部バルブを閉じ、ファンモーターが運転を保持する。その後、前記送風温度故障検出モジュール１０２は、空気調和機の送風温度センサが故障したか否かを判断する。最後に、前記送風温度故障検出モジュール１０２は、空気調和機の送風温度センサが故障していないことを判断する場合に、前記制御モジュール１０３は空気調和機の送風温度を取得し、取得された送風温度を新しい還気温度とし、空気調和機が再運転するように制御する。本発明の実施例による空気調和機の制御装置は、空気調和機の還気温度センサが故障した場合に空気調和機が再運転できない課題を解決し、空気調和機を使用するユーザの利用を改善する。
【００４８】
更に、図７に示すように、本発明の空気調和機の制御装置の第１実施例に基づいて、本発明の空気調和機の制御装置の第２実施例において、前記還気温度故障検出モジュール１０１は、
空気調和機が通常運転している場合に、第１所定検出サイクルによって空気調和機の還気温度を検出し、検出された空気調和機の還気温度に基づいて、第１所定期間における空気調和機の最高還気温度と最低還気温度とを記録するための還気温度検出ユニット１０１１と、
前記最高還気温度と前記最低還気温度との差が所定の第１温度偏差値以上であるか否かを判断し、前記最高還気温度と前記最低還気温度との差が所定の温度偏差値以上である場合に、前記還気温度センサが故障したと判断し、且つ還気温度センサの故障アラーム情報を送信するための還気温度故障判断ユニット１０１２と、を含む。
【００４９】
一つの実施例において、空気調和機の還気温度センサの回路が断線又は短路しているか否かを検出することにより、この還気温度センサが故障したか否かを判断すると、理解される。もう一つの実施例において、空気調和機の還気温度センサが温度検出機能を備えるか否かを判断することにより、この還気温度センサが故障したか否かを判断し、例えば、還気温度センサが温度を検出することができなくなると、この還気温度センサが故障したと判断すると、理解される。
【００５０】
具体的には、本実施例の空気調和機制御装置において、前記還気温度検出ユニット１０１１は前記検出サイクルＴおきに空気調和機の還気温度を検出し、これにより空気調和機の現在の還気温度を取得する。上記第１所定検出サイクルＴ、第１所定期間ｎＴ及び第１温度偏差値ΔＴ１は、実際の状況によって設定できる。本実施例において、前記第１所定検出サイクルTは１０秒ないし１５秒であり、前記第１所定期間ｎＴは２分ないし３分であり、前記第１温度偏差値ΔＴ１は１．５℃ないし２℃である。好ましくは、本実施例において、前記第１所定検出サイクルTは１０秒であり、前記第１所定期間ｎＴは２分であり、前記第１温度偏差値ΔＴ１は１．５℃であり、以下、これを例として詳しく説明する。
【００５１】
例えば、空気調和機が通常運転している場合に、まず、前記還気温度検出ユニット１０１１は１０秒おきに空気調和機の還気温度を検出し、還気温度センサによって検出された空気調和機の還気温度により、２分以内で空気調和機の最高還気温度Ｔ１ｍａｘと最低還気温度Ｔ１ｍｉｎとを記録する。その後、前記還気温度故障判断ユニット１０１２は、記録された前記最高還気温度Ｔ１ｍａｘと最低還気温度Ｔ１ｍｉｎとの差が所定の第１温度偏差値ΔＴ１より大きいか否かを判断し、即ち、｜Ｔ１ｍａｘ−Ｔ１ｍｉｎ|≧ΔＴ１を判断する（即ち、｜Ｔ１ｍａｘ−Ｔ１ｍｉｎ｜≧１．５℃を判断する）。前記最高還気温度Ｔ１ｍａｘと最低還気温度Ｔ１ｍｉｎとの差が１．５℃以上であると判断した場合に、前記還気温度故障判断ユニット１０１２は、空気調和機の還気口のところの前記還気温度センサが故障したと判断でき、同時に、前記還気温度故障判断ユニット１０１２は、空気調和機の還気温度センサが故障したことをユーザに提示するように、還気温度センサの故障アラームを送信する。
【００５２】
本実施例の空気調和機制御装置によると、前記還気温度故障判断ユニット１０１２は、前記還気温度検出ユニット１０１１により記録された第１所定期間ｎＴ内に記録された最高還気温度Ｔ１ｍａｘ、最低還気温度Ｔ１ｍｉｎ及び所定の第１温度偏差値ΔＴ１により、空気調和機の還気温度センサが故障したことを判断する。｜Ｔ１ｍａｘ−Ｔ１ｍｉｎ｜≧ΔＴ１の場合に、前記還気温度故障判断ユニット１０１２は、空気調和機の還気温度センサが故障したと判断し、且つ還気温度センサの故障アラーム情報を送信する。還気温度センサが故障した場合に、空気調和機に対応する内部バルブを閉じ、空気調和機内のファンモーターが引き続き運転を保持する。その後、空気調和機の送風温度センサが故障したか否かを判断する。空気調和機の送風温度センサが故障していない場合に、空気調和機の送風温度を取得し、取得された送風温度を新しい還気温度とし、空気調和機が再運転するように制御し、これにより空気調和機を使用するユーザの利用を改善する。
【００５３】
更に、図８に示すように、本発明の空気調和機制御装置の第１実施例に基づいて、本発明の空気調和機制御装置の第３実施例において、送風温度故障検出モジュール１０２は、
前記ファンモーターが第２所定期間を運転した場合に、第２所定検出サイクルによって空気調和機の現在の送風温度を検出し、第３所定期間における空気調和機の最高送風温度と最低送風還気温度とを記録するための送風温度検出ユニット１０２１と、
前記最高送風温度と前記最低送風温度との差が所定の第２温度偏差値より小さいか否かを判断し、前記最高送風温度と前記最低送風温度との差が所定の第２温度偏差値より小さい場合に、前記送風温度センサが故障していないと判断するための送風温度故障判断ユニット１０２２と、を含む。
【００５４】
一つの実施例において、空気調和機の送風温度センサの回路が断線又は短路しているか否かを検出することにより、この送風温度センサが故障したか否かを判断すると、理解される。もう一つの実施例において、空気調和機の送風温度センサが温度検出機能を備えるか否かを判断することにより、この送風温度センサが故障したか否かを判断し、例えば、送風温度センサが温度を検出することができなくなると、この送風温度センサが故障したと判断すると、理解される。
【００５５】
具体的には、本実施例の空気調和機の制御装置によると、前記送風温度検出ユニット１０２１は前記第２検出サイクルＴ２おきに空気調和機の送風温度を検出し、これにより空気調和機の現在の送風温度を取得する。上記第２所定検出サイクルＴ２、第２所定期間ｍＴ、第３所定期間ｎ２Ｔ及び第２温度偏差値ΔＴａは、実際の状況によって設定できる。本実施例において、前記第２所定検出サイクルT２は１０秒ないし１５秒であり、前記第２所定期間ｍＴは２分ないし３分であり、前記第３所定期間ｎ２Ｔも２分ないし３分であり、前記第２温度偏差値ΔＴａは１．５℃ないし２℃である。好ましくは、本実施例において、前記第２所定検出サイクルT２は１０秒であり、前記第２所定期間ｍＴは３分であり、前記第３所定期間ｎ２Ｔは２分であり、前記第２温度偏差値ΔＴａは１．５℃であり、以下、これを例として詳しく説明する。
【００５６】
例えば、空気調和機におけるファンモーターが３分（即ち、前記第２所定期間ｍＴ）運転する場合に、前記送風温度検出ユニット１０２１は、１０秒（即ち、前記第２所定検出サイクルＴ２）おきに空気調和機の送風温度を検出し、２分以内（即ち、前記第３所定期間ｎ２Ｔ）で空気調和機の最高送風温度Ｔａｍａｘと最低送風温度Ｔａｍｉｎとを記録する。その後、前記送風温度故障判断ユニット１０２２は、前記最高送風温度Ｔａｍａｘと最低送風温度Ｔａｍｉｎとの差が所定の第２温度偏差値ΔＴａより小さいか否かを判断し、即ち、｜Ｔａｍａｘ−Ｔａｍｉｎ｜＜ΔＴａを判断する（即ち、｜Ｔａｍａｘ−Ｔａｍｉｎ｜＜１．５℃を判断する）。前記送風温度故障判断ユニット１０２２は前記最高送風温度Ｔａｍａｘと最低送風温度Ｔａｍｉｎとの差が１．５℃より小さいであると判断した場合に、前記送風温度故障判断ユニット１０２２は空気調和機の送風口のところの前記送風温度センサが故障していないと判断する。
【００５７】
本実施例の空気調和機制御装置によると、前記送風温度検出ユニット１０２１により記録された第３所定期間ｎ２Ｔ内に記録された最高送風温度Ｔａｍａｘ、最低送風温度Ｔａｍｉｎ及び所定の第２温度偏差値ΔＴａにより、前記送風温度故障判断ユニット１０２２は、空気調和機の送風温度センサが故障したことを判断し、｜Ｔａｍａｘ−Ｔａｍｉｎ｜  ＜ΔＴａの場合に、前記送風温度故障判断ユニット１０２２は、空気調和機の送風温度センサが故障していないと判断する。空気調和機の送風温度センサが故障していない場合に、空気調和機の送風温度を取得し、取得された送風温度を新しい送風温度とし、空気調和機が再運転するように制御し、これにより空気調和機を使用するユーザの利用を改善する。
【００５８】
更に、本実施例の空気調和機の制御装置における前記送風温度故障判断ユニット１０２２は、前記最高送風温度と前記最低送風温度との差が所定の第２温度偏差値以上である場合に、前記送風温度センサも故障したと判断し、且つ送風温度センサの故障アラーム情報を出し、前記空気調和機の運転を停止させるように制御するためのものである。
【００５９】
具体的には、本実施例において、前記最高送風温度Ｔａｍａｘと最低送風温度Ｔａｍｉｎとの差が所定の第２温度偏差値ΔＴａ以上であると判断した場合に、即ち、｜Ｔａｍａｘ−Ｔａｍｉｎ｜≧ΔＴａの場合に、前記送風温度故障判断ユニット１０２２は、前記送風温度センサも故障したと判断でき、且つ還気温度センサの故障アラーム情報を出し、前記空気調和機の運転を停止させるように制御する。即ち、本実施例の空気調和機の制御装置は、空気調和機の送風温度制御が故障したと判断する前に、空気調和機が再運転することができ、空気調和機を使用するユーザの利用を改善する。
【００６０】
更に、本実施例空気調和機の制御装置において、前記送風温度故障判断ユニット１０２２は、空気調和機が再運転して第４所定期間に運転した場合に、前記送風温度が室内設定温度に達するまで、空気調和機の送風温度センサが故障したか否かを改めて判断するためのものである。
【００６１】
具体的に、前記第４所定期間と前記室内設定温度とが実際の状況によって設けられ、本実施例において、前記第４所定期間は１時間ないし２時間であり、前記室内設定温度は２５℃ないし２７℃である。好ましくは、本実施例において、前記第４所定期間は１時間であり、前記室内設定温度は２６℃であり、以下、これを例として詳しく説明する。本実施例の空気調和機制御装置は、空気調和機が再運転して時間が１時間に達した場合に、前記送風温度故障判断ユニット１０２２は、前記送風温度が室内設定温度に達するまで、空気調和機の送風温度センサが故障したか否かを改めて判断し、即ち、空気調和機の送風温度が室内設定温度である２６℃に達すると、前記送風温度故障判断ユニット１０２２は、空気調和機の送風温度センサが故障したか否かの判断を停止することができると理解すべきである。即ち、本実施例に係る空気調和機の制御装置によると、空気調和機が再運転する場合、運転時間が１時間に達するたびに、前記送風温度故障判断ユニット１０２２は、空気調和機の送風温度センサの故障状況を一回判断し、前記送風温度が室内設定温度に達するまで続け、これにより空気調和機が再運転する場合にその送風温度センサが通常作動を保証でき、空気調和機が再運転する場合の安全性能を保証し、空気調和機を使用するユーザの利用を改善する。
【００６２】
以上は本発明の好ましい実施例の説明に過ぎず、これによって本発明の特許請求の範囲を限定するものではなく、本発明の明細書及び図面内容を利用して作られる等価構造又は等価フローの変換、或いは直接的又は間接的に他の関連技術分野に適用されるものであれば、いずれも同様に本発明の特許請求の範囲内に含まれる。
【００６３】
フローチャートまたは他の方式で説明した任意の過程や方法は、一つまたはより多くの、特定ロジック性能または過程を実現するためステップの実行可能なコマンドのコードのモジュール、セクターあるいは部分を含む。本発明の好ましい実施形態の範囲は、他の実現を含み、表示または討論された順序に従わなくてもよい。係る機能に基づいて基本的に同時の方式または逆の順序で、その機能を実行することも含む。これは、本発明の実施例に属される当業者に理解される。
【００６４】
フローチャート中に示され、又はその他の方式で説明された論理及び／又はステップは、例えば、論理機能を実現するための命令実行可能な順序リストであると考えられ、具体的には、任意のコンピュータ読み取り可能な媒体中でも実現することができ、それによって指令実行システム、装置、若しくは設備（例えばコンピュータに基づくシステム、プロセッサを含むシステム又は他の指令実行システム、装置又は設備から指令を取得して指令を実行することができるシステム等）に使用され、又はこれらの指令実行システム、装置、若しくは設備を結合して使用される。本明細書について言えば、「コンピュータ読み取り可能な媒体」は、プログラムを含み、保存し、通信し、伝播し又は伝送して、指令実行システム、装置若しくは設備又はこれらの指令実行システム、装置若しくは設備の組み合わせに使用するための装置であってもよい。コンピュータ読み取り可能な媒体のさらに具体的な例示（非網羅的リスト）には、１つ以上の配線を有する電気接続部（電子装置）、ポータブル型コンピュータディスク（磁気装置）、ランダムアクセスメモリ（ＲＡＭ）、読み出し専用メモリ（ＲＯＭ）、消去可能なプログラマブル読み出し専用メモリ（ＥＰＲＯＭ又はフラッシュメモリ）、光ファイバ、及びコンパクト光ディスク読み出し専用メモリ（ＣＤＲＯＭ）が含まれる。また、コンピュータ読み取り可能な媒体は、その上に前記プログラムを印刷した紙又はその他適当な媒介であってもよい。なぜなら、例えば、紙又はその他の媒介に対して光学スキャンを行い、続いて編集、解釈又は必要ならその他適当な方式で処理を行って、電子方式によってプログラムを取得し、その後それをコンピュータのメモリに保存することができるからである。
【００６５】
また、本発明の各部分は、ハードウェア、ソフトウェア、部品また
はそれらの組み合わせで実現できると、理解すべきである。前記実施形態には、複数のステップまたは方法がメモリに保存され、適当なコマンド実行システムのソフトウェアまたは部品で実現される。たとえば、ハードウェアで実現する場合に、他の実施形態と同じように、以下、当該分野において周知にされた任意の一つまたはそれらの組み合わせで実現できる。すなわち、デジタル信号に対してロジック機能を実現するロジックゲート回路を有する個別のロジック回路、ロジックゲート回路を組み合わせた適当な専用ＩＣ、プログラマブルゲートアレイ（ＰＧＡ）、フィールドプログラマブルゲートアレイ（ＦＰＧＡ）などである。
【符号の説明】
【００６６】
１００  空気調和機の制御装置
１０１  還気温度故障検出モジュール
１０２  送風温度故障検出モジュール
１０３  制御モジュール
１０１１  還気温度検出ユニット
１０１２  還気温度故障判断ユニット
１０２１  送風温度検出ユニット
１０２２  送風温度故障判断ユニット
【図１】
0006548285.tif 000002
【図２】
0006548285.tif 000003
【図３】
0006548285.tif 000004
【図４】
0006548285.tif 000005
【図５】
0006548285.tif 000006
【図６】
0006548285.tif 000007
【図７】
0006548285.tif 000008
【図８】
0006548285.tif 000009